(57)【特許請求の範囲】
【請求項１】
各種情報発信者からのレストランに関する情報、ショッピングに関する情報、遊園地等の娯楽場や特定エリア等で開催される催しに関する情報等のイベント情報を複数の情報提供装置それぞれにより収集、入力、編集して前記各情報提供装置それぞれのデータベースに格納し、前記データベースに格納された前記イベント情報の一部の概要情報を放送或いは通信手段により前記各情報提供装置それぞれから車両等の移動体の情報端末に向けて送信し、前記情報端末により前記概要情報に基いて前記各情報提供装置のいずれかの前記データベースの前記イベント情報を取得する移動体向けの情報提供システムであって、
前記各情報提供装置が、
前記イベント情報の前記データベースへの格納または前記概要情報の前記情報端末への送信に先立ち、前記各情報提供装置それぞれに割り当てられる制作者コードの発行要求を情報管理装置に行う手段と、
前記イベント情報の場所の位置情報に、前記情報管理装置から取得した前記制作者コードと、同一の場所であっても前記イベント情報の内容ごとに異なる前記イベント情報の識別記号とを付加して前記イベント情報の個別識別コードを生成すると共に、前記概要情報と前記個別識別コードとの組み合わせから成る情報メニューを作成し、前記概要情報として前記情報メニューを前記情報端末に向けて送信する生成部とを備え、
前記情報管理装置が、
前記各情報提供装置からの前記制作者コードの発行要求を受け付けて前記各情報提供装置それぞれのアドレス情報を取得する取得部と、
前記制作者コードの発行要求に基き前記各情報提供装置ごとに割り当てた前記制作者コードを発行する発行部と、
前記発行部が発行した前記各情報提供装置それぞれの前記制作者コードと前記各情報提供装置それぞれの前記アドレス情報との組み合わせから成る管理テーブルを格納した格納部と、
前記情報端末からの前記制作者コードを伴うアドレス紹介要求の受信により、受信した前記制作者コードを前記格納部の前記管理テーブルから読み出した前記アドレス情報に変換し、該アドレス情報を前記情報端末に提供する変換部とを備え、
前記情報端末により、前記制作者コードに対応して前記変換部から提供された前記アドレス情報に基づいて特定される前記情報提供装置の前記データベースの前記識別記号の前記イベント情報を取り込むようにしたことを特徴とする移動体向けの情報提供システム。
【請求項２】
請求項１記載の移動体向けの情報提供システムにおいて、
前記情報端末が、
取得した前記各情報提供装置それぞれの前記情報メニューからの前記個別識別コードの選択により、選択された前記個別識別コードの前記制作者コードを伴う前記アドレス紹介要求を前記情報管理装置に送信し、前記アドレス紹介要求に応じて選択された前記個別識別コードの前記情報管理装置から送信されてくる前記アドレス情報を受信する送受信部を備え、
前記情報端末により、受信した前記アドレス情報で特定される前記情報提供装置に接続し、該情報提供装置の前記データベースから、選択された前記個別識別コードの前記識別記号の前記イベント情報を読み出して取り込むようにしたことを特徴とする移動体向けの情報提供システム。
【請求項３】
請求項１記載の移動体向けの情報提供システムにおいて、
前記情報管理装置が、
前記変換部の前記アドレス情報で特定される前記情報提供装置に接続し、該情報提供装置の前記データベースから、選択された前記個別識別コードの前記識別記号の前記イベント情報を読み出し、該イベント情報を前記情報端末に送信する通信部を備え、
前記情報端末が、
取得した前記各情報提供装置それぞれの前記情報メニューからの前記個別識別コードの選択により、選択された前記個別識別コードを伴う前記イベント情報取得要求を前記情報管理装置に送信し、前記イベント情報取得要求に応じて前記情報管理装置から送信されてくる前記イベント情報を受信する送受信部を備え、
前記情報端末により、選択された前記個別識別コードの前記識別記号の前記イベント情報を前記情報管理装置から受信して取り込むようにしたことを特徴とする移動体向けの情報提供システム。
【請求項４】
請求項１記載の移動体向けの情報提供システムにおいて、
前記情報端末が、
前記各情報管理装置の前記管理テーブルを取得し、前記各情報提供装置それぞれの前記情報メニューから選択された前記個別識別コードの前記制作者コードに対応する前記アドレス情報を取得した前記管理テーブルから検索する検索部と、
検索した前記アドレス情報で特定される前記情報提供装置に接続して選択された前記個別識別コードを送信し、当該情報提供装置の前記データベースから読み出された前記個別識別コードの前記識別記号の前記イベント情報を受信する送受信部とを備えていることを特徴とする移動体向けの情報提供システム。
【請求項５】
請求項１〜４のいずれかに記載の移動体向けの情報提供システムにおいて、
前記情報管理装置の前記発行部が、前記各情報提供装置の前記制作者コードの発行要求に基いて、前記各情報提供装置それぞれの前記制作者コードに該制作者コードに対して許可されている有効期限を表わす期限情報を付加した期限情報付きの制作者コードを発行し、
前記情報管理装置の前記格納部に格納される前記管理テーブルを、前記発行部が発行した前記各情報提供装置それぞれの前記期限情報付きの制作者コードと前記各情報提供装置それぞれから取得した前記アドレス情報との組み合わせにより形成し、
かつ、前記各情報提供装置それぞれが、前記制作者コードの発行要求に基いて前記情報管理装置から発行された前記各情報提供装置の前記期限情報付きの制作者コードを取得し、
前記各情報提供装置それぞれの前記生成部が、前記各情報提供装置それぞれが取得した前記期限情報付きの制作者コードに基き、前記情報メニューを、前記期限情報を付加して作成するようにしたことを特徴とする移動体向けの情報提供システム。
【請求項６】
請求項２記載の移動体向けの情報提供システムにおいて、
前記情報管理装置の前記発行部が、前記各情報提供装置の前記制作者コードの発行要求に基いて、前記各情報提供装置それぞれの前記制作者コードに該制作者コードに対して許可されている有効期限を表わす期限情報を付加した期限情報付きの制作者コードを発行し、
前記各情報提供装置の前記生成部が生成する前記情報メニューを、前記各情報提供装置それぞれが取得した前記期限情報付きの制作者コードに基き、前記期限情報を付加して作成し、
かつ、前記情報管理装置の前記格納部に格納される前記管理テーブルを、前記発行部が発行した前記各情報提供装置それぞれの前記期限情報付きの制作者コードと前記各情報提供装置それぞれから取得した前記アドレス情報との組み合わせにより形成し、
更に、前記情報端末の送受信部により、前記各情報提供装置それぞれの前記情報メニューから選択された前記個別識別コードの前記期限情報付きの制作者コードにより有効期限を越えるか否かを判定し、前記有効期限が経過していない前記個別識別コードについてのみ、前記アドレス紹介要求を前記情報管理装置に送信し、前記アドレス紹介要求に応じて前記情報管理装置から送信されてくる前記アドレス情報を受信するようにしたことを特徴とする移動体向けの情報提供システム。
【請求項７】
請求項３記載の移動体向けの情報提供システムにおいて、
前記情報管理装置の前記発行部が、前記各情報提供装置の前記制作者コードの発行要求に基いて、前記各情報提供装置それぞれの前記制作者コードに該制作者コードに対して許可されている有効期限を表わす期限情報を付加した期限情報付きの制作者コードを発行し、
前記各情報提供装置の前記生成部が生成する前記情報メニューを、前記各情報提供装置それぞれが取得した前記期限情報付きの制作者コードに基き、前記期限情報を付加して作成し、
かつ、前記情報管理装置の前記格納部に格納される前記管理テーブルを、前記発行部が発行した前記各情報提供装置それぞれの前記期限情報付きの制作者コードと前記各情報提供装置それぞれから取得した前記アドレス情報との組み合わせにより形成し、
更に、前記情報端末の送受信部により、前記各情報提供装置それぞれの前記情報メニューから選択された前記個別識別コードの前記期限情報付きの制作者コードにより有効期限を越えるか否かを判定し、前記有効期限が経過していない前記個別識別コードについてのみ、前記イベント情報取得要求を前記情報管理装置に送信し、前記イベント情報取得要求に応じて前記情報管理装置から送信されてくる前記イベント情報を受信するようにしたことを特徴とする移動体向けの情報提供システム。
【発明の詳細な説明】
【０００１】
【発明の属する技術分野】
この発明は、各種情報発信者（情報の提供者）からのレストランに関する情報、ショッピングに関する情報等のイベント情報を複数の情報提供装置それぞれにより収集、入力、編集し、イベント情報に位置を表わす位置情報を付加した情報やイベント情報の概要情報を各情報提供装置からの放送或いは通信により移動体の情報端末に向けて送信する移動体向け情報提供システムに関する。
【０００２】
【従来の技術】
車両等の移動体向けの情報提供サービスとして、例えば放送局からの通常のＦＭ放送に、各種情報発信者からのレストランに関する情報、ショッピングに関する情報、遊園地等の娯楽場や特定エリア等で開催される催しに関する情報等のイベント情報を多重して放送するＦＭ多重放送がある。
【０００３】
このＦＭ多重放送にあっては、車両に搭載されたＦＭ受信機等の情報端末により放送局の情報提供装置からの放送が受信され、その受信信号にＦＭ多重されている情報が復調されて取り出され、情報端末の液晶ディスプレイ（ＬＣＤ）等から成る表示部にその受信データの内容が表示される。
【０００４】
ところで、近年のカーナビゲーション技術の進歩によって、前記情報端末をカーナビゲーションシステムの端末（以下、カーナビという）により形成し、これらの情報提供サービスを受けることもできるようになっている。この場合、カーナビにＦＭ受信部を設け、ＦＭ放送局から送信されるイベント情報に、そのイベント情報の所在（場所）を表わす、例えばレストランの位置情報（緯度、経度を表わす位置コード）が情報発信者側或いは放送局側（情報端末から見た情報提供者側）で付加され、カーナビ側（情報端末側）でイベント情報を受信すると、受信したイベント情報に付加された位置情報を読み取り、カーナビのＬＣＤ等の表示部により、受信したイベント情報の内容を文字及び図形等により表示したり、位置情報により表される位置を、表示部に表示される地図に重畳して表示することが可能である。
【０００５】
この場合、カーナビ側にイベント情報を記憶保持するメモリを設けておき、このメモリに一旦受信したイベント情報を格納し、位置コードに基づき地域別にメモリからイベント情報を読み出して表示したり、イベント情報をジャンル別に読み出して表示することもできる。
【０００６】
一方、最近ではデジタル技術が著しく発展し、これに伴い、上記したイベント情報の送受信をデジタル通信により行うことや、インターネットの普及に伴い、インターネットプロバイダを経由して、上記したイベント情報の送受信を、通信対応のカーナビや携帯型の通信端末を用いて行うことなども考えられる。
【０００７】
上記したＦＭ多重放送やインターネットによる情報提供サービスの場合、イベント情報のより詳細な内容を問い合わせたり、必要時には予約等の手続を行えるようにするために情報発信者への問い合わせ先データ（例えば、電話番号、ファクシミリ番号やインターネットのＵＲＬ等）をイベント情報と共に送信することも考えられている。この場合、問い合わせを行うイベント情報を識別できるように、予め割り当てた識別コードをイベント情報に更に付加して送信することが考えられている。
【０００８】
【発明が解決しようとする課題】
しかし、この種の移動体向け情報提供システムにおいて、情報発信者は日本全国に多数存在し、各々が提供するイベント情報も膨大な数となることから、それらを区別するアドレスコード及び識別コードは通常多くの桁数を必要とし、情報量が多くなる。そのため、例えば情報提供者側から情報端末側に多くのイベント情報の概要情報を一括して送信しようとする場合には、ＦＭ放送局やインターネットプロバイダ等の情報提供装置の送信情報量が多くなり、それらの負荷が増大すると共に送信に長時間を要し、また、カーナビ等の情報端末側においても、記憶手段により記憶しておくべき情報量が非常に多くなり過ぎて負担が増大するという問題がある。
【０００９】
また、情報提供装置が複数の場合、各情報発信者の情報や、この情報に付加される識別コードが重複しないように、それらを一元的に管理する必要が生じるが、上記したように情報発信者が多数であることから、識別コードの割り当て等の情報管理が非常に煩雑になるという問題もある。
【００１０】
この発明が解決しようとする課題は、各種の情報発信者のイベント情報を複数の情報提供装置それぞれから放送或いは通信手段により移動体の情報端末に提供する移動体向け情報提供システムにおいて、情報端末側に記憶すべき情報量が極めて少ない構成で実現できるようにすると共に、各情報提供装置が前記情報端末に提供する各種イベント情報を、装置負荷が少ない構成で重複しないように一元的に管理できるようにし、更には、情報端末側で期限の有効な情報のみを正しく取得できるようにすることにある。
【００１１】
【課題を解決するための手段】
上記した課題を解決するために、本発明の移動体向け情報提供システムは、各種情報発信者からのレストランに関する情報、ショッピングに関する情報、遊園地等の娯楽場や特定エリア等で開催される催しに関する情報等のイベント情報を複数の情報提供装置それぞれにより収集、入力、編集して前記各情報提供装置それぞれのデータベースに格納し、前記データベースに格納された前記イベント情報の一部の概要情報を放送或いは通信手段により前記各情報提供装置それぞれから車両等の移動体の情報端末に向けて送信し、前記情報端末により前記概要情報に基いて前記各情報提供装置のいずれかの前記データベースの前記イベント情報を取得する移動体向けの情報提供システムであって、前記各情報提供装置が、前記イベント情報の前記データベースへの格納または前記概要情報の前記情報端末への送信に先立ち、前記各情報提供装置それぞれに割り当てられる制作者コードの発行要求を情報管理装置に行う手段と、前記イベント情報の場所の位置情報に、前記情報管理装置から取得した前記制作者コードと、同一の場所であっても前記イベント情報の内容ごとに異なる前記イベント情報の識別記号とを付加して前記イベント情報の個別識別コードを生成すると共に、前記概要情報と前記個別識別コードとの組み合わせから成る情報メニューを作成し、前記概要情報として前記情報メニューを前記情報端末に向けて送信する生成部とを備え、前記情報管理装置が、前記各情報提供装置からの前記制作者コードの発行要求を受け付けて前記各情報提供装置それぞれのアドレス情報を取得する取得部と、前記制作者コードの発行要求に基き前記各情報提供装置ごとに割り当てた前記制作者コードを発行する発行部と、前記発行部が発行した前記各情報提供装置それぞれの前記制作者コードと前記各情報提供装置それぞれの前記アドレス情報との組み合わせから成る管理テーブルを格納した格納部と、前記情報端末からの前記制作者コードを伴うアドレス紹介要求の受信により、受信した前記制作者コードを前記格納部の前記管理テーブルから読み出した前記アドレス情報に変換し、該アドレス情報を前記情報端末に提供する変換部とを備え、前記情報端末により、前記制作者コードに対応して前記変換部から提供された前記アドレス情報に基づいて特定される前記情報提供装置の前記データベースの前記識別記号の前記イベント情報を取り込むようにしたことを特徴としている（請求項１）。
【００１２】
このような構成によれば、各情報提供装置において、イベント情報のデータベースへの格納またはその概要情報の情報端末への送信に先立って、それぞれの装置に対して割り当てられる制作者コードが情報管理装置から取得され、イベント情報の場所を示す位置情報に、取得された制作者コード、同一の場所であってもイベント情報の内容ごとに異なる識別記号が付加されてイベント情報の個別識別コードが生成される。
【００１３】
この場合、各情報提供装置からの制作者コードの発行要求に対して情報管理装置が各情報提供装置それぞれの制作者コードを発行し、それに基いて各情報提供装置それぞれが、情報提供装置及びイベント情報によって異なる前記の個別識別コードを生成し、それぞれのイベント情報に割り当てるようにしているため、各情報提供装置の各イベント情報の個別識別コードの発行を部外の情報管理装置に要求してこの装置によって集中的に行なう場合に比べて、各情報提供装置から移動体の情報端末に提供される情報の一元管理を、その負担を複数の装置に分散し、より少ない負荷で行うことが可能になる。その上、内容が異なるイベント情報に異なる識別記号の個別識別コードを割り当てることで、同じ場所の内容が異なるイベント情報の区別が、短いコード長の個別識別コードで行なえることから、各情報提供装置が情報端末に送信する情報量を低減することが可能になる。
【００１４】
また、各情報提供装置の前記生成部が、前記イベント情報の前記概要情報と、前記個別識別コードとの組み合わせから成る情報メニューを作成して前記情報端末に提供するため、情報端末では、取得した情報メニューの概要情報に基づいて所望の情報を選択してその個別識別コードの送信等を行うことで、前記各情報提供装置のいずれかの前記データベースからそのイベント情報を取得し、詳細を知ることが可能になる。
【００１５】
更に、情報管理装置においては、取得部が各情報提供装置からの前記制作者コードの発行要求を受け付けて各情報提供装置のアドレス情報を取得し、発行部が前記発行要求に応じて各情報提供装置ごとに割り当てた前記制作者コードを発行し、格納部が前記発行部により発行される制作者コードと発行先である前記各情報提供装置から取得したそれぞれの前記アドレス情報との組み合わせから成る管理テーブルを格納する。
【００１６】
そして、情報管理装置が、制作者コードとその発行先である情報提供装置のアドレス情報との組み合わせから成る各情報提供装置の管理テーブルを保持するため、情報端末からのアドレス情報に関する紹介要求等があるときに、この管理テーブルから該当するアドレス情報を検索して情報端末に送信することができる。
【００１７】
従って、情報端末に記憶すべき情報量が極めて少ない構成でこの種の移動体向け情報提供システムを実現することができると共に、その際、各情報提供装置が情報端末に提供する各イベント情報を、装置負荷が少ない構成で重複しないように一元的に管理することができる。
【００１８】
つぎに、本発明の移動体向け情報提供システムは、前記情報端末が、取得した前記各情報提供装置それぞれの前記情報メニューからの前記個別識別コードの選択により、選択された前記個別識別コードの前記制作者コードを伴う前記アドレス紹介要求を前記情報管理装置に送信し、前記アドレス紹介要求に応じて選択された前記個別識別コードの前記情報管理装置から送信されてくる前記アドレス情報を受信する送受信部を備え、前記情報端末により、受信した前記アドレス情報で特定される前記情報提供装置に接続し、該情報提供装置の前記データベースから、選択された前記個別識別コードの前記識別記号の前記イベント情報を読み出して取り込むようにしたことを特徴としている（請求項２）。
【００１９】
このような構成にすることで、情報端末において、各情報提供装置から取得した情報メニューの所望の個別識別コードを選択すると、その個別識別コード中の制作者コードを伴うアドレス紹介要求が情報管理装置に送信され、前記情報端末から情報管理装置に、選択された個別識別コード中の制作者コードを伴うアドレス紹介要求が行なわれ、この紹介要求に基き、情報管理装置の管理テーブルからその制作者コードがアドレス情報に変換されて情報端末に提供され、情報端末では、選択した個別識別コードに対応したイベント情報の詳細を入手するための問い合わせ先に関するアドレス情報を取得することが可能になる。
【００２０】
更に、情報端末において、情報管理装置から受信して取得したアドレス情報で特定される通信先の情報提供装置に接続することにより、その情報提供装置のデータベースから該当するイベント情報の詳細を取得することができ、この場合、情報端末は、情報管理装置からアドレス情報を取得し、そのアドレス情報の情報提供装置に接続することで、装置負荷の少ない構成で所望のイベント情報を取得することができる。
【００２１】
つぎに、本発明の移動体向け情報提供システムは、前記情報管理装置が、前記変換部の前記アドレス情報で特定される前記情報提供装置に接続し、該情報提供装置の前記データベースから、選択された前記個別識別コードの前記識別記号の前記イベント情報を読み出し、該イベント情報を前記情報端末に送信する通信部を備え、前記情報端末が、取得した前記各情報提供装置それぞれの前記情報メニューからの前記個別識別コードの選択により、選択された前記個別識別コードを伴う前記イベント情報取得要求を前記情報管理装置に送信し、前記イベント情報取得要求に応じて前記情報管理装置から送信されてくる前記イベント情報を受信する送受信部を備え、前記情報端末により、選択された前記個別識別コードの前記識別記号の前記イベント情報を前記情報管理装置から受信して取り込むようにしたことを特徴としている（請求項３）。
【００２２】
このような構成にすることで、情報端末において、各情報提供装置から取得した情報メニューの所望の個別識別コードを選択すると、その個別識別コードを伴うイベント情報取得要求が情報管理装置に送信され、更に、情報管理装置において、受信した個別識別コードの制作者コードに対応するアドレス情報が前記管理テーブルから読み出され、そのアドレス情報で特定される情報提供装置に接続し、そのデータベースから該当するイベント情報が取り込まれる。
【００２３】
そして、情報管理装置に取り込まれたイベント情報が情報端末に送信されるため、情報端末は、情報管理装置を経由して所望のイベント情報の詳細を取得することができ、この場合も、情報端末におけるイベント情報の詳細取得に要する負荷を軽減できる。
【００２４】
また、情報端末においてイベント情報の詳細を受信中に受信状態が悪化しても、その後受信状態が安定してから情報管理装置よりイベント情報の詳細を再度入手することができるので、より安定した情報入手が可能になる利点もある。
【００２５】
つぎに、本発明の移動体向け情報提供システムは、前記情報端末が、前記各情報管理装置の前記管理テーブルを取得し、前記各情報提供装置それぞれの前記情報メニューから選択された前記個別識別コードの前記制作者コードに対応する前記アドレス情報を取得した前記管理テーブルから検索する検索部と、検索した前記アドレス情報で特定される前記情報提供装置に接続して選択された前記個別識別コードを送信し、当該情報提供装置の前記データベースから読み出された前記個別識別コードの前記識別記号の前記イベント情報を受信する送受信部とを備えていることを特徴としている（請求項４）。
【００２６】
このような構成にすることで、情報端末に情報管理装置の管理テーブルが取得されるため、情報端末において、情報提供装置より取得した情報メニューのなかから所望の概要情報が選択されると、探索部により、前記管理テーブルから、選択された個別識別コード中の制作者コードに対応するアドレス情報が検索され、更に、情報端末が探索されたアドレス情報で特定される情報提供装置のデータベースに接続され、選択された個別識別コードが情報端末からその情報提供装置に送信される。
【００２７】
そして、その情報提供装置のデータベースから該当するイベント情報が読み出されて情報端末に送信される。
【００２８】
従って、情報端末は多量のアドレス情報を保持したりすることなく、各情報提供装置より取得した情報メニューに基き、装置負担の軽い構成で、いつでもイベント情報の詳細を入手することができ、しかもより安定した情報入手が可能になる。
【００２９】
つぎに、本発明の移動体向け情報提供システムは、前記情報管理装置の前記発行部が、前記各情報提供装置の前記制作者コードの発行要求に基いて、前記各情報提供装置それぞれの前記制作者コードに該制作者コードに対して許可されている有効期限を表わす期限情報を付加した期限情報付きの制作者コードを発行し、前記情報管理装置の前記格納部に格納される前記管理テーブルを、前記発行部が発行した前記各情報提供装置それぞれの前記期限情報付きの制作者コードと前記各情報提供装置それぞれから取得した前記アドレス情報との組み合わせにより形成し、かつ、前記各情報提供装置それぞれが、前記制作者コードの発行要求に基いて前記情報管理装置から発行された前記各情報提供装置の前記期限情報付きの制作者コードを取得し、
前記各情報提供装置それぞれの前記生成部が、前記各情報提供装置それぞれが取得した前記期限情報付きの制作者コードに基き、前記情報メニューを、前記期限情報を付加して作成するようにしたことを特徴としている（請求項５）。
【００３０】
このような構成にすることで、各情報提供装置からの制作者コードの発行要求に応じて情報管理装置がそれぞれの制作者コードを発行する際に、それらの制作者コードに有効期限を表わす期限情報が付加されると共に、その期限情報付きの制作者コードとアドレス情報との組み合わせから成る管理テーブルが情報管理装置の格納部に格納され、更に、前記の期限情報付きの制作者コードに基き、各情報提供装置それぞれの生成部が作成する情報メニューの制作者コードに期限情報が付加される。
【００３１】
そのため、情報端末において、前記制作者コードの期限情報から、有効期限が経過していない有効なものかどうかを容易に知ることが可能になり、装置負担が少ない構成で有効期限の経過していないイベント情報のみを、各情報提供装置から直接に、或いは、情報管理装置を経由して取得することが可能になる。
【００３２】
また、ある情報提供装置に対して一度割り当てた制作者コードを、期限経過後、別の情報提供装置に割り当てて使いまわしすることが可能になり、情報管理装置側では、より少ない種類の制作者コードで多くの情報提供装置を管理することができる利点もある。
【００３３】
つぎに、本発明の移動体向け情報提供システムは、前記請求項２記載の移動体向けの情報提供システムにおいて、前記情報管理装置の前記発行部が、前記各情報提供装置の前記制作者コードの発行要求に基いて、前記各情報提供装置それぞれの前記制作者コードに該制作者コードに対して許可されている有効期限を表わす期限情報を付加した期限情報付きの制作者コードを発行し、前記各情報提供装置の前記生成部が生成する前記情報メニューを、前記各情報提供装置それぞれが取得した前記期限情報付きの制作者コードに基き、前記期限情報を付加して作成し、かつ、前記情報管理装置の前記格納部に格納される前記管理テーブルを、前記発行部が発行した前記各情報提供装置それぞれの前記期限情報付きの制作者コードと前記各情報提供装置それぞれから取得した前記アドレス情報との組み合わせにより形成し、更に、前記情報端末の送受信部により、前記各情報提供装置それぞれの前記情報メニューから選択された前記個別識別コードの前記期限情報付きの制作者コードにより有効期限を越えるか否かを判定し、前記有効期限が経過していない前記個別識別コードについてのみ、前記アドレス紹介要求を前記情報管理装置に送信し、前記アドレス紹介要求に応じて前記情報管理装置から送信されてくる前記アドレス情報を受信するようにしたことを特徴としている（請求項６）。
【００３４】
このような構成にすることで、情報端末において、取得した各情報提供装置の情報メニューから選択された個別識別コードであって、制作者コードの有効期限が経過していないものについてのみ、その制作者コードを伴うアドレス紹介要求が情報管理装置に送信され、この送信に基いて情報管理装置から受信したアドレス情報に基き、このアドレス情報で特定される情報提供装置の前記データベースから、選択された前記個別識別コードの有効なイベント情報を読み出して取得することができる。
【００３５】
そのため、情報端末側において、情報管理装置から常に有効期限の経過していないアドレス情報を入手して有効なイベント情報を各情報提供装置から直接取得することが可能な、具体的な構成を提供することができる。
【００３６】
つぎに、本発明の移動体向け情報提供システムは、前記請求項３記載の移動体向けの情報提供システムにおいて、前記情報管理装置の前記発行部が、前記各情報提供装置の前記制作者コードの発行要求に基いて、前記各情報提供装置それぞれの前記制作者コードに該制作者コードに対して許可されている有効期限を表わす期限情報を付加した期限情報付きの制作者コードを発行し、前記各情報提供装置の前記生成部が生成する前記情報メニューを、前記各情報提供装置それぞれが取得した前記期限情報付きの制作者コードに基き、前記期限情報を付加して作成し、かつ、前記情報管理装置の前記格納部に格納される前記管理テーブルを、前記発行部が発行した前記各情報提供装置それぞれの前記期限情報付きの制作者コードと前記各情報提供装置それぞれから取得した前記アドレス情報との組み合わせにより形成し、更に、前記情報端末の送受信部により、前記各情報提供装置それぞれの前記情報メニューから選択された前記個別識別コードの前記期限情報付きの制作者コードにより有効期限を越えるか否かを判定し、前記有効期限が経過していない前記個別識別コードについてのみ、前記イベント情報取得要求を前記情報管理装置に送信し、前記イベント情報取得要求に応じて前記情報管理装置から送信されてくる前記イベント情報を受信するようにしたことを特徴としている（請求項７）。
【００３７】
このような構成にすることで、情報端末において、取得した各情報提供装置の情報メニューから選択された個別識別コードであって、制作者コードの有効期限が経過していないものについてのみ、その個別識別コードを伴うイベント情報取得要求が情報管理装置に送信される。
【００３８】
更に、このイベント情報取得要求の受信に基いて情報管理装置が管理メニューから該当するアドレス情報を読み出し、このアドレス情報で特定される情報提供装置の前記データベースから、選択された前記個別識別コードの有効なイベント情報を読み出して情報端末に転送する。
【００３９】
そのため、情報端末側において、常に有効期限の経過していないアドレス情報の有効なイベント情報を情報管理装置を経由して取得することが可能な、具体的な構成を提供することができる。
【００４０】
【発明の実施の形態】
（第１実施形態）
この発明の第１実施形態について図１ないし図１３を参照して説明する。但し、図１はシステム全体の概略構成を示す図、図２は情報端末のブロック図、図３ないし図７は動作説明図、図８ないし図１３は動作説明用フローチャートである。
【００４１】
まず、システム全体の構成を示す図１について説明する。図１に示すように、各種のレストランや料理店、ブティック等の衣料洋品店、遊園地等の娯楽場といった各種情報発信者（図示せず）から、料理メニュー等のレストラン情報、バーゲンセール等のショッピング情報、娯楽場で開催される催しに関する情報等のイベント情報が、情報端末側から見て情報提供者である例えばＦＭ放送局やインターネットプロバイダ等の複数（ここでは３つ）の情報提供装置１Ａ、１Ｂ、１Ｃに送られると、各情報提供装置１Ａ〜１Ｃにより各イベント情報が受け付けられて収集、入力、編集される。
【００４２】
このとき、各情報提供装置１Ａ〜１Ｃにおいては、受け付けたイベント情報の一部の概要情報が作成されると共に、そのイベント情報の位置情報（緯度、経度を表わす位置コード）、例えば図３に示す“ＸＸＸＹＹＹ”がイベント情報に付加され、各々のイベント情報データベース２Ａ、２Ｂ、２Ｃに、イベント情報及びその一部の概要情報と共にその位置情報が格納される。
【００４３】
また、各情報提供装置１Ａ〜１Ｃから車両等の移動体の情報端末である例えばカーナビ３に向けて各イベント情報の概要情報が送信されるが、それに先立ち、各情報提供装置１Ａ〜１Ｃから情報管理装置４に対して、各情報提供装置１Ａ〜１Ｃそれぞれに割り当てられるべき制作者コードの発行要求が各々通信によりなされる。
【００４４】
そして、情報管理装置４では、各情報提供装置１Ａ〜１Ｃからの制作者コードの発行要求を受けると、この発行要求の際に、問い合わせ先である情報提供装置１Ａ〜１Ｃのアドレス情報（例えば、インターネットのＵＲＬ（Uniform Resource Locator）、電話番号或いはファクシミリ番号等）が取得され、情報提供装置１Ａ〜１Ｃごとに割り当てられた制作者コードが発行要求に応じて通信により発行され、情報管理装置４から発行された制作者コードが、要求先である情報提供装置１Ａ〜１Ｃそれぞれに受信される。具体的には、例えば、発行要求を成した情報提供装置１Ａ〜１Ｃに対して、“−Ａ”、“−Ｂ”や“−Ｃ”という制作者コードが発行される。それと同時に、図４に示すように、発行される制作者コードと、その発行要求先（制作者）である情報提供装置１Ａ〜１Ｃそれぞれから取得したアドレス情報との組み合わせから成る管理テーブルが形成され、このテーブルが格納部であるデータベース５に格納される。
【００４５】
ここで、情報管理装置４のアドレス情報の取得処理が取得部の処理であり、制作者コードの発行処理が発行部の処理である。これらの処理は、情報管理装置４を構成するコンピュータにより行われ、このような処理を行うための制御プログラムは、情報管理装置４を構成するコンピュータのハードディスク等の記録媒体に読み取り可能に格納されている。
【００４６】
そして、情報管理装置４から発行された制作者コードを受信した情報提供装置１Ａ〜１Ｃにおいて、位置情報と、取得した制作者コードと、同一位置の情報に対してもイベント情報の内容ごとに異なる識別記号とが付加されて個別識別コードが生成される。例えば、図３に示すように、“ＸＸＸＹＹＹ”という位置情報及び“−Ａ”という制作者コードに、“−１”や“−２”というようなイベント情報の内容ごとに異なる識別記号が付加されて個別識別コードが生成される。情報提供装置１Ａ〜１Ｃにおける個別識別コードの生成処理が、それぞれの生成部の処理であり、情報管理装置１Ａ〜１Ｃをそれぞれ構成するコンピュータにより行われる。
【００４７】
また、情報提供装置１Ａ〜１Ｃにおいて、前記のようにして生成された個別識別コードとイベント情報の一部の概要情報との組み合わせから成る、図５に示すような情報メニューが作成される。
【００４８】
そして、前記情報メニューがカーナビ３に提供されると共に、図６に示すような、位置情報、制作者コード、識別記号、生成された個別識別コード、及びこの個別識別コードに対応するイベント情報及びその一部の概要情報が、情報提供装置１Ａ〜１Ｃのアドレス情報と共に、情報提供装置１Ａ〜１Ｃそれぞれのイベント情報データベース２Ａ〜２Ｃに格納される。
【００４９】
なお、カーナビ３は、各情報提供装置１Ａ〜１Ｃからイベント情報の一部である概要情報を受信することができるだけでなく、各情報提供装置１Ａ〜１Ｃから直接イベント情報の詳細を入手することもできる。
【００５０】
そのために、カーナビ３側では、情報提供装置１Ａ〜１Ｃから通信によって情報メニュー（図５参照）を取得すると、取得した情報メニューがカーナビ３に設けられた記憶手段に蓄積保持されると共に、図７に示すように、取得した情報メニューが表示部に表示され、表示された情報メニューのなかから、表示画面上の選択キーの操作等の使用者による所定操作が行われて所望の個別識別コードの選択が行われると、選択された個別識別コード中の制作者コードを伴うアドレス紹介要求が情報管理装置４に対してなされる。
【００５１】
そして、情報管理装置４では、カーナビ３からのアドレス紹介要求を受けると、アドレス紹介要求と共に受信した制作者コードに対応するアドレス情報が管理テーブル（図４参照）から読み出されて対応するアドレス情報に変換され、変換されたアドレス情報が要求先であるカーナビ３に送信される。ここで、情報管理装置４によるアドレス情報への変換処理が変換部の処理であり、この変換処理は情報管理装置４を構成するコンピュータにより行われ、このような処理を行うための制御プログラムは、情報管理装置４を構成するコンピュータのハードディスク等の記録媒体に読み取り可能に格納されている。
【００５２】
一方、アドレス紹介要求に基く情報管理装置４からのアドレス情報がカーナビ３により受信されると、受信されたアドレス情報がそのカーナビ３の表示部に表示される。この表示に基きドライバ等の使用者によりそのアドレス情報の通信先に接続するための操作が行われると、イベント情報データベース２Ａ〜２Ｃのうちのそのアドレス情報に対応するデータベース２Ａ〜２Ｃからそのイベント情報の詳細が入手され、入手されたイベント情報の詳細内容が表示部に表示されるのである。
【００５３】
次に、情報端末であるカーナビ３の構成を示した図２について説明する。
【００５４】
各情報提供装置１Ａ〜１Ｃが例えばＦＭ放送局である場合には、ＦＭ多重放送された情報メニュー（図５参照）が図２のアンテナ１１を介してＦＭ受信部１２により受信され、受信された情報メニューがナビゲーション用ＣＰＵ１３に送られ、ＣＰＵ１３により、Ｄ−ＲＡＭ（Dynamic RAM）、Ｓ−ＲＡＭ（Static RAM）等から成る記憶手段１４にその概要情報が所定の書込領域に一旦書き込まれると共に、ＣＰＵ１３の制御により、液晶ディスプレイ（ＬＣＤ）から成る表示部１５の画面上にその情報メニューが表示される。
【００５５】
ところで、図７に示した表示部１５には、“選択”キーのほかカーソル移動キーといった複数のファンクションキー画像も表示され、これらキー画像をタッチすることでカーソルが移動するなどして、表示部１５の表示に対する所定の操作が行われる。
【００５６】
そして、使用者が情報メニューの中から所望の概要情報の詳細であるイベント情報の内容を知りたいときには、使用者が例えば“選択”というキー画像をタッチ操作して所望の個別識別コードを選択すると、ＣＰＵ１３により、ＣＰＵ１３と共に送受信部を構成する電話制御部１７及び携帯電話１８が制御され、これら電話制御部１７及び携帯電話１８により、情報端末のカーナビ３が通信回線を介して情報管理装置４と接続され、選択された個別識別コード中の制作者コードの送信を伴うアドレス紹介要求が情報管理装置４に、このアドレス紹介要求に応じて情報管理装置４からアドレス情報が送信され、ＣＰＵ１３によりこのアドレス情報が受信されて、受信されたアドレス情報が表示部１５に表示される。
【００５７】
更に、そのアドレス情報による問い合わせ先への接続のために使用者により表示部１５のキー画像が操作されると、ＣＰＵ１３により電話制御部１７及び携帯電話１８が制御され、カーナビ３が電話制御部１７、携帯電話１８を通してそのアドレス情報の通信先の情報提供装置１Ａ〜１Ｃに接続され、この通信先のイベント情報データベース２Ａ〜２Ｃのイベント情報の詳細内容がＣＰＵ１３により受信され、受信されたイベント情報の詳細内容が記憶手段１４に蓄積保持されると共に表示部１５に表示される。
【００５８】
ところで、カーナビ３においては、図２に示したように、ＧＰＳ（Global Positioning System ）受信機２０により受信アンテナ２１を介して複数のＧＰＳ衛星からの電波が受信され、受信信号がＣＰＵ１３に取り込まれ、このＣＰＵ１３により、現在の自車位置（緯度、経度）が検出され、ナビゲーション時には、ＣＤ−ＲＯＭ等から成る地図データ格納部２２に格納された道路地図データから自車の現在位置周辺の道路地図データが読み出されると共に、読み出された道路地図データに基づく道路地図が表示部１５の画面上に表示される。
【００５９】
また、表示部１５のキー画像の所定操作によって目的地設定がなされていれば、ＣＰＵ１３により、その目的地までの最適経路が導出されて表示中の道路地図上にその経路が表示され、目的地までの経路誘導、つまりルートガイダンスが行われる。
【００６０】
更に、ＣＰＵ１３には、このルートガイダンス等を行なうナビゲーション機能を利用した概要情報に関する表示機能も設けられている。即ち、自車の現在位置周辺の道路地図が表示部１５に表示されているときに、記憶手段１４に格納されている情報メニュー中の個別識別コードに含まれる位置情報のうち、例えば自車から半径１０ｋｍ以内に存在する情報の位置を表示すべく所定のキー画像を操作すれば、この操作に基づき、ＣＰＵ１３により、該当する情報の位置を示す所定のマークが表示中の道路地図に重畳して表示される。
【００６１】
次に、システムの動作について図８ないし図１３のフローチャートを参照して説明する。
【００６２】
まず、情報提供装置１Ａ〜１Ｃの動作について説明する。情報提供装置１Ａ〜１Ｃにおける制作者コードの取得は、図８のフローチャートに示す手順により行われる。即ち、図８に示すように、情報管理装置４に対して制作者コードの発行要求がなされ（Ｓ１）、この要求に応じて情報管理装置４から発行される制作者コードが受信、取得され（Ｓ２）、これによって制作者コードの取得処理が終了する。
【００６３】
続いて、情報提供装置１Ａ〜１Ｃにおける個別識別コードの生成処理について説明すると、図９に示すように、各情報発信者の位置情報及びイベント情報が取得されると（Ｓ５）、データベース２Ａ〜２Ｃに格納されたイベント情報テーブル（図６参照）中に取得した位置情報と同じものがあるか否かの判定がなされ（Ｓ６）、この判定結果がＹＥＳであればその位置情報に対して未登録の識別記号が割り当てられて登録される（Ｓ７）。
【００６４】
一方、ステップＳ６の判定結果がＮＯであれば、任意の識別記号が割り当てられて登録される（Ｓ８）。そして、ステップＳ７、Ｓ８の処理からステップＳ９に移行し、位置情報及び情報管理装置４から取得した制作者コードに識別記号が付加されて個別識別コードが生成され、イベント情報及びその概要情報等と共にイベント情報データベース２Ａ〜２Ｃのイベント情報テーブル（図６参照）に登録されて（Ｓ９）、個別識別コード生成動作が終了する。
【００６５】
更に、情報提供装置１Ａ〜１Ｃにおける情報メニューの作成について説明すると、図１０に示すように、イベント情報テーブル中に概要情報があるか否かの判定がなされ（Ｓ１１）、この判定結果がＮＯであれば、取得したイベント情報よりその一部の概要情報が作成され（Ｓ１２）、上記した個別識別コード生成処理により生成された個別識別コードと、ステップＳ１２の処理により作成された概要情報とが組み合わされて情報メニュー（図５参照）が生成され（Ｓ１３）、イベント情報データベース２Ａ〜２Ｃに記憶されて、情報メニューの作成が終了する。
【００６６】
また、情報提供装置１Ａ〜１Ｃにおけるイベント情報の提供について説明すると、図１１に示すように、カーナビ３からイベント情報の提供要求を受けると、要求先のカーナビ３から個別識別コードが取得され（Ｓ１６）、取得された個別識別コードがそのデータベース２Ａ〜２Ｃのイベント情報テーブル（図６参照）に存在するか否かの判定がなされ（Ｓ１７）、この判定結果がＹＥＳであれば、そのデータベース２Ａ〜２Ｃに格納されたイベント情報テーブルから、その個別識別コードに対応するイベント情報が読み出され（Ｓ１８）、読み出されたイベント情報が要求先のカーナビ３に送信されて（Ｓ１９）、イベント情報の提供が終了する。一方、ステップＳ１７の判定結果がＮＯであれば、そのままイベント情報の提供が終了する。
【００６７】
次に、情報管理装置４の動作について説明する。
【００６８】
まず、情報管理装置４による制作者コードの発行動作について説明すると、図１２に示すように、情報提供装置１Ａ〜１Ｃより制作者コードの発行要求を受けると、その発行要求を行う情報提供装置１Ａ〜１Ｃのアドレス情報が取得されて（Ｓ２５）、管理テーブル（図４参照）に未だ登録されていない制作者コードが発行され（Ｓ２６）、発行した制作者コードと取得したアドレス情報とが管理テーブルに一緒に登録され（Ｓ２７）、発行された制作者コードが発行要求を行った情報提供装置１Ａ〜１Ｃに対して送信されて（Ｓ２８）、制作者コードの発行動作が終了する。
【００６９】
続いて、情報管理装置４によるカーナビ３への情報提供装置１Ａ〜１Ｃのアドレス情報の送信について説明すると、情報管理装置４において、図１３に示すように、情報メニューより選択された個別識別コード中の制作者コードを伴うアドレス紹介要求をカーナビ３から受けると（Ｓ３１）、管理テーブル（図４参照）より、その制作者コードに対応するＵＲＬ等のアドレス情報が検索されて読み出され（Ｓ３２）、そのアドレス情報が要求先のカーナビ３に送られて（Ｓ３３）、アドレス情報の送信動作が終了する。尚、アドレス情報を受信したカーナビ３は、アドレス情報で特定される情報提供装置１Ａ〜１Ｃに通信回線を介して接続され、上記した図１１に示す手順に従い、その情報提供装置１Ａ〜１Ｃから所望のイベント情報の詳細を取得する。
【００７０】
以上説明したように、各情報提供装置１Ａ〜１Ｃは、各イベント情報のイベント情報データベース２Ａ〜２Ｃへの格納またはその概要情報のカーナビ３への送信に先立って、各情報提供者１Ａ〜１Ｃそれぞれに対して割り当てられた制作者コードを情報管理装置４から取得する。
【００７１】
そして、位置情報に、取得した制作者コードと、同一位置の情報に対してもイベント情報の内容ごとに異なる識別記号とを付加することで、各イベント情報の個別識別コードを形成し、この個別識別コードと、イベント情報の概要情報とから成る情報メニューを作成して情報端末であるカーナビ３に提供すると共に、位置情報、制作者コード、識別記号、個別識別コード、アドレス情報、イベント情報及び概要情報を、イベント情報テーブル（図６参照）としてそれぞれのデータベース２Ａ〜２Ｃに格納する。
【００７２】
また、情報管理装置４は、各情報提供装置１Ａ〜１Ｃから制作者コードの発行要求を受けると、その情報提供装置１Ａ〜１Ｃのアドレス情報を取得し、情報提供装置１Ａ〜１Ｃごとに割り当てた前記の制作者コードを発行要求に応じて情報提供装置１Ａ〜１Ｃそれぞれに発行し、更に、発行した制作者コードと取得したアドレス情報との組み合わせから成る管理テーブル（図４参照）を作成してデータベース５に格納する。
【００７３】
更に、カーナビ３は、情報提供装置１Ａ〜１Ｃから情報メニューを受信し、この情報メニューより所望の概要情報の個別識別コードを選択することで、個別識別コード中の制作者コードを伴うアドレス紹介要求を、情報管理装置４に対して行うことができ、この紹介要求に基き、情報管理装置４のデータベース５に格納されている管理テーブルに基いて、その制作者コードに対応する情報提供装置１Ａ〜１Ｃのアドレス情報を情報管理装置４から得、そのアドレス情報で特定される情報提供装置１Ａ〜１Ｃに通信回線を介して接続されることで、その情報提供装置１Ａ〜１Ｃから所望のイベント情報の詳細を取得する。
【００７４】
従って、第１の実施形態によれば、各情報提供装置１Ａ〜１Ｃそれぞれの制作者コードの発行要求に対して、情報管理装置４が情報提供装置１Ａ〜１Ｃに該各情報提供装置１Ａ〜１Ｃ別の制作者コードを発行することで、各情報提供装置１Ａ〜１Ｃが、各イベント情報の位置情報にそれぞれの制作者コードを付加して各イベント情報の個別識別コードを形成し、この個別識別コードを情報端末であるカーナビ３に提供するようにしているため、各イベント情報の個別識別コードを形成する処理が複数装置で分散して行なわれ、各情報提供装置１Ａ〜１Ｃからカーナビ３に提供される情報の一元的な管理を、情報管理装置４が各イベント情報ごとに個別識別コードを形成して各情報提供装置１Ａ〜１Ｃに発行する場合に比べて、少ない負荷で行うことが可能になる。
【００７５】
そして、カーナビ３において各情報提供装置１Ａ〜１Ｃのアドレス情報やイベント情報の詳細を記憶しておく必要がないため、カーナビ３側で記憶すべき情報量を大幅に少なくすることができ、しかも、情報管理装置４はカーナビ３から制作者コードで要求された情報提供装置１Ａ〜１Ｃのアドレス情報を管理テーブルから検索してそのカーナビ３に送るだけでよいことから、情報管理装置４がやりとりするデータ量も少なくて済む。
【００７６】
（第２実施形態）
この発明の第２実施形態について図１４及び図１５を参照して説明する。但し、図１４及び図１５は動作説明用フローチャートである。本実施形態におけるシステム全体の基本的な構成、及び情報端末としてのカーナビ３の構成は、各々図１及び図２と同じであるため、重複した説明は省略することとし、以下の説明ではこれら図１、図２も参照し、特に上記した第１実施形態と相違する点について説明する。
【００７７】
本実施形態において、上記した第１実施形態と相違するのは次の点である。即ち、本実施形態では、情報管理装置４を経由してカーナビ３に情報提供装置１Ａ〜１Ｃのイベント情報データベース２Ａ〜２Ｃのイベント情報の詳細を提供するようにしており、そのために、情報管理装置４は、カーナビ３から個別識別コードの送信を伴うイベント情報取得要求があれば、送信されてきた個別識別コード中の制作者コードを、データベース５の管理テーブル（図４参照）に基づきアドレス情報に変換し、変換したアドレス情報により特定される情報提供装置１Ａ〜１Ｃに通信回線を介して接続し、カーナビ３から取得した個別識別コードを送信し、そのイベント情報データベース２Ａ〜２Ｃから個別識別コードにより特定されるイベント情報を取り出してカーナビ３に送信する。この点が、上記した第１実施形態と相違する。
【００７８】
ここで、情報管理装置４による情報提供装置１Ａ〜１Ｃとの送受信処理が通信部の処理であり、この処理は情報管理装置４を構成するコンピュータにより行われ、このような処理を行うための制御プログラムは、情報管理装置４を構成するコンピュータのハードディスク等の記録媒体に読み取り可能に格納されている。
【００７９】
一方、カーナビ３は、情報提供装置１Ａ〜１Ｃより情報メニューを取得し、取得した情報メニューのなかから選択された個別識別コードのイベント情報取得要求を情報管理装置４に送信し、そのイベント情報取得要求に応答して情報管理装置４から上記したようにして送信されてくるイベント情報を受信する。この点も、上記した第１実施形態と相違する。
【００８０】
なお、このような、カーナビ３の要求の送信及び情報の受信処理は、カーナビ３のＣＰＵ１３、電話制御部１７及び携帯電話１８により行われ、ＣＰＵ１３等によるこのような処理が送受信部の処理である。
【００８１】
次に、フローチャートにより、この実施形態のシステムの上記した動作を説明する。まず、情報管理装置４の動作について説明すると、図１４に示すように、カーナビ３から、情報メニューより選択された個別識別コードの送信を伴うイベント情報取得要求を受けると（Ｓ３６）、管理テーブル（図４参照）より、受信した個別識別コード中の制作者コードに対応するＵＲＬ等のアドレス情報を検索し（Ｓ３７）、そのアドレス情報の通信先の情報提供装置１Ａ〜１Ｃに接続してカーナビ３から取得された個別識別コードを送信し（Ｓ３８）、その個別識別コードに対応するイベント情報を通信先のデータベース２Ａ〜２Ｃから取得してカーナビ３に送信し（Ｓ３９）、その後動作を終了する。
【００８２】
続いて、情報提供装置１Ａ〜１Ｃ側の動作について説明すると、図１５に示すように、情報管理装置４からイベント情報の提供要求を受けると、その情報管理装置４からの個別識別コードを取得し（Ｓ４１）、取得した個別識別コードのイベント情報がデータベース２Ａ〜２Ｃのイベント情報テーブル（図６参照）に存在するか否かを判定し（Ｓ４２）、この判定結果がＹＥＳであれば、データベース２Ａ〜２Ｃに格納されたイベント情報テーブルから、その個別識別コードに対応するイベント情報を読み出し（Ｓ４３）、読み出したイベント情報を情報管理装置４に送信し（Ｓ４４）、その後動作を終了する。
【００８３】
このようにして、情報提供装置１Ａ〜１Ｃから取得されたイベント情報が、情報管理装置４を経由してカーナビ３に送信されるのである。一方、図１５のステップＳ４２の判定結果がＮＯであれば、そのまま情報管理装置４の動作が終了する。
【００８４】
従って、第２実施形態によれば、カーナビ３側では、情報管理装置４に個別識別コードの送信を伴うイベント情報取得要求を送信することにより、その後前記第１実施形態のように情報提供装置１Ａ〜１Ｃに接続し直すことなく、情報管理装置４を経由して情報提供装置１Ａ〜１Ｃの所望のイベント情報の詳細を取得することができることから、カーナビ３におけるイベント情報の詳細取得に要する負荷を軽減できる。
【００８５】
なお、カーナビ３においてイベント情報の詳細を受信中に受信状態が悪化しても、その後受信状態が安定してから情報管理装置４よりイベント情報の詳細を再度入手可能にすることができ、この場合は、より安定した情報入手が可能になる。
【００８６】
（第３実施形態）
この発明の第３実施形態について図１６ないし図１８を参照して説明する。但し、図１６及び図１７は動作説明図、図１８は動作説明用フローチャートである。本実施形態におけるシステム全体の基本的な構成、及び情報端末としてのカーナビ３の構成は、各々図１及び図２と同じであるため、重複した説明は省略することとし、以下の説明ではこれら図１、図２も参照し、特に上記した第１実施形態と相違する点について説明する。
【００８７】
本実施形態において、上記した第１実施形態と相違するのは次の点である。即ち、情報管理装置４は、各情報提供装置１Ａ〜１Ｃに対して制作者コードを発行する際に、その制作者コードの有効期限を表わす期限情報を制作者コードに付加すると共に、管理テーブルとして、図４に示すものに更にその有効期限を追加した形式のものをデータベース５に格納する。この点が、上記した第１実施形態と相違する。そして、カーナビ３から個別識別コード中の制作者コードの送信を伴うアドレス紹介要求があれば、第１実施形態と同様に、情報管理装置４は、その制作者コードをアドレス情報に変換してカーナビ３に提供する。
【００８８】
そして、カーナビ３は情報提供装置１Ａ〜１Ｃから提供された個別識別コードの期限情報に基き、カーナビ３側で期限切れか否かを確認した上で情報管理装置４にアドレス紹介要求をする。この場合、カーナビ３側で期限切れが確認された上で情報管理装置４にアドレス紹介要求がなされることから、管理テーブルに登録されている制作者コードのうち、有効期限の経過したものについて、情報管理装置４がその制作者コードをアドレス情報に変換してカーナビ３に提供することはない。なお、有効期限の経過した制作者コードについては、情報提供装置からの要求により、別の情報提供装置に対してその制作者コードが再発行されてくり返し利用され、使い回しされる。
【００８９】
ここで、情報管理装置４による期限情報付きの制作者コードの発行処理が発行部の処理であり、この処理は情報管理装置４を構成するコンピュータにより行われ、このような処理を行うための制御プログラムは、情報管理装置４を構成するコンピュータのハードディスク等の記録媒体に読み取り可能に格納されている。
【００９０】
一方、この実施形態の各情報提供装置１Ａ〜１Ｃは、制作者コードの発行要求に応じて情報管理装置４から上記したような期限情報付き制作者コードを取得すると、図１６に示すように、取得した制作者コードの有効期限の他に、各イベント情報ごとの有効期限を設定して識別記号の有効期限としてイベント情報テーブルに登録し、データベース２Ａ〜２Ｃに格納する点が、上記した第１実施形態と相違する。そして、図１７に示すように、この識別記号の有効期限も含む情報メニューを作成してカーナビ３に提供する。ここで、識別記号の有効期限が制作者コードの有効期限を越える場合には、制作者コードを再取得するか、或いは識別記号の有効期限を制作者コードのそれに短縮する。
【００９１】
このような情報メニューの生成処理が生成部の処理であり、この処理は各情報提供装置１Ａ〜１Ｃを構成するコンピュータにより行われる。
【００９２】
次に、情報提供装置１Ａ〜１Ｃ、情報管理装置４の有効期限のチェック動作について説明すると、このチェック動作は、情報提供装置１Ａ〜１Ｃ、情報管理装置４のいずれにおいても同様に行われ、図１８に示すように、イベント情報テーブル或いは管理テーブル中に有効期限の経過したものがあるか否かを判定し（Ｓ５１）、この判定結果がＹＥＳであれば、該当する全項目をイベント情報テーブル或いは管理テーブルから削除し（Ｓ５２）、その後ステップＳ５１の判定結果がＮＯである場合と同様に動作は終了する。
【００９３】
従って、この第３実施形態によれば、有効期限が経過したイベント情報については、情報管理装置４によって、制作者コードがアドレス情報に変換されることはなく、カーナビ３側では制作者コードがアドレス情報に変換された期限の有効なイベント情報のみを取得することが可能になる。
【００９４】
また、ある情報提供装置１Ａ〜１Ｃに対して一度割り当てた制作者コードを、有効期限経過後は別の情報提供装置１Ａ〜１Ｃに割り当てることが可能になり、情報管理装置４側では、より少ない種類の制作者コードで多くの情報提供装置を管理することができる。
【００９５】
なお、この発明の更に他の実施形態として、カーナビ３側で、情報管理装置４の管理テーブル（図４参照）を取得して例えば記憶手段１４に記憶しておき、情報提供装置１Ａ〜１Ｃより取得した情報メニューのなかから、使用者の操作により選択された個別識別コード中の制作者コードに対応するアドレス情報を、記憶手段１４に記憶した管理テーブルから検索し、検索したアドレス情報により特定される情報提供装置１Ａ〜１Ｃに接続して選択された個別識別コードを送信し、そのデータベース２Ａ〜２Ｃからこの個別識別コードにより特定されるイベント情報を受信するようにしてもよい。
【００９６】
このとき、情報管理装置４からの管理テーブルの取得は、例えばカーナビ３の電源投入時に行ったり、一定時間ごとに定期的に行えばよい。
【００９７】
また、上記した各実施形態では、情報提供装置を３カ所として説明しているが、２カ所或いは４カ所以上であってもこの発明を適用できるのはいうまでもなく、特に情報提供装置が多数の場合において本発明の効果が顕著である。
【００９８】
また、上記した各実施形態では、制作者コードを“−Ａ”等のアルファベットを含むコードにより構成した場合について説明したが、これ以外に数字やその他の記号を用いても構わないのは勿論である。
【００９９】
また、上記した各実施形態では、情報端末をカーナビ３とした場合について説明したが、情報端末はこれに限定されるものでないのは勿論である。
【０１００】
また、上記した各実施形態では、情報管理装置４を制御する制御プログラムを読み取り可能に格納する記録媒体は、特にハードディスクに限定されるものではなく、その他の磁気記録媒体やＣＤ−ＲＯＭ等の光ディスク、ＭＯ等の光磁気記録媒体等に格納されていても構わない。
【０１０１】
また、本発明は上記した実施形態に限定されるものではなく、その趣旨を逸脱しない限りにおいて上述したもの以外に種々の変更を行うことが可能である。
【０１０２】
【発明の効果】
以上のように、請求項１に記載の発明によれば、各情報提供装置から情報管理装置への制作者コードの発行要求に基き、各情報提供装置において、イベント情報のデータベースへの格納またはその概要情報の情報端末への送信に先立って、それぞれの装置に対して割り当てられる制作者コードが情報管理装置から取得され、イベント情報の場所を示す位置情報に、取得された制作者コード、同一の場所であってもイベント情報の内容ごとに異なる識別記号が付加されてイベント情報の個別識別コードが生成されるため、各イベント情報ごとに個別識別コードの発行を外部の情報管理装置に要求してこの装置によって集中的に行なう場合に比べて、各情報提供装置から移動体の情報端末に提供される情報の一元管理を、その負担を複数の装置に分散し、より少ない負荷で行うことが可能になる。その上、内容が異なるイベント情報に異なる識別記号の個別識別コードを割り当てることで、同じ場所の内容が異なるイベント情報の区別が、短いコード長の個別識別コードで行なえることから、各情報提供装置が情報端末に送信する情報量を低減することが可能になる。
【０１０３】
また、各情報提供装置の前記生成部により、前記イベント情報の前記概要情報と、前記個別識別コードとの組み合わせから成る情報メニューが作成されて情報端末に提供されるため、情報端末では、取得した情報メニューの概要情報に基づいて所望の情報を選択してその個別識別コードの送信等を行うことで、前記各情報提供装置の前記データベースからイベント情報を取得して詳細を知ることが可能になる。
【０１０４】
更に、情報管理装置においては、取得部が各情報提供装置からの前記制作者コードの発行要求を受け付けて各情報提供装置のアドレス情報を取得し、発行部が前記発行要求に応じて各情報提供装置ごとに割り当てた前記制作者コードを発行し、格納部が前記発行部により発行される制作者コードと発行先である前記各情報提供装置から取得したそれぞれの前記アドレス情報との組み合わせから成る管理テーブルを格納し、保持するため、情報端末からのアドレス情報に関する紹介要求等があるときに、この管理テーブルから該当するアドレス情報を検索して情報端末に送信することができる。
【０１０５】
従って、情報端末に記憶すべき情報量が極めて少ない構成でこの種の移動体向け情報提供システムを実現することができると共に、その際、各情報提供装置が情報端末に提供する各イベント情報を、装置負荷が少ない構成で重複しないように一元的に管理することができる。
【０１０６】
また、請求項２に記載の発明によれば、情報端末において、各情報提供装置から取得した情報メニューの所望の個別識別コードを選択することにより、その個別識別コード中の制作者コードを伴うアドレス紹介要求が情報管理装置に送信され、このアドレス紹介要求に基き、情報管理装置の管理テーブルからその制作者コードがアドレス情報に変換されて情報端末に提供され、問い合わせ先に関するアドレス情報を取得することが可能になる。
【０１０７】
更に、情報管理装置から取得したアドレス情報で特定される通信先の情報提供装置に接続することにより、その情報提供装置のデータベースから該当するイベント情報の詳細を取得することができる。そのため、情報端末は、情報管理装置からアドレス情報を取得し、そのアドレス情報の情報提供装置に接続することで、装置負担の少ない構成で所望のイベント情報を取得することができる。
【０１０８】
また、請求項３に記載の発明によれば、情報端末において、各情報提供装置から取得した情報メニューの所望の個別識別コードを選択することにより、その個別識別コードを伴うイベント情報取得要求が情報管理装置に送信され、情報管理装置において、受信した個別識別コードの制作者コードに対応するアドレス情報が前記管理テーブルから読み出され、そのアドレス情報で特定される情報提供装置に接続してそのデータベースから該当するイベント情報が取り込まれ、情報管理装置に取り込まれたイベント情報が情報端末に送信されるため、情報端末は、情報管理装置を経由して所望のイベント情報の詳細を取得することができる。
【０１０９】
そしてこの場合も、情報端末におけるイベント情報の詳細取得に要する負荷を軽減できる。
【０１１０】
更に、情報端末においてイベント情報の詳細を受信中に受信状態が悪化しても、その後受信状態が安定してから情報管理装置よりイベント情報の詳細を再度入手することができるので、より安定した情報入手が可能になる利点もある。
【０１１１】
また、請求項４に記載の発明によれば、情報端末に情報管理装置の管理テーブルが取得され、情報端末において、情報提供装置より取得した情報メニューのなかから所望の概要情報が選択されることにより、前記管理テーブルから、選択された個別識別コード中の制作者コードに対応するアドレス情報が検索されてそのアドレス情報で特定される情報提供装置のデータベースに接続され、選択された個別識別コードが情報端末からその情報提供装置に送信されてそのデータベースから該当するイベント情報が読み出されて情報端末に送信されるため、情報端末は多量のアドレス情報を保持したりすることなく、各情報提供装置より取得した情報メニューに基き、装置負担の軽い構成で、いつでもイベント情報の詳細を入手することができ、しかもより安定した情報入手が可能になる。
【０１１２】
また、請求項５に記載の発明によれば、各情報提供装置からの制作者コードの発行要求に応じて情報管理装置がそれぞれの制作者コードを発行する際に、それらの制作者コードに有効期限を表わす期限情報が付加されると共に、その期限情報付きの制作者コードとアドレス情報との組み合わせから成る管理テーブルが情報管理装置の格納部に格納され、更に、その期限情報付きの制作者コードに基き、各情報提供装置それぞれの生成部が作成する情報メニューの制作者コードに期限情報が付加されるため、情報端末において、前記制作者コードの期限情報から、有効期限が経過していない有効なものかどうかを容易に知ることが可能になる。
【０１１３】
従って、装置負担が少ない構成で有効期限の経過していないイベント情報のみを、各情報提供装置から直接に、或いは、情報管理装置を経由して取得することが可能になる。
【０１１４】
更に、ある情報提供装置に対して一度割り当てた制作者コードを、期限経過後、別の情報提供装置に割り当てることができ、情報管理装置側では、より少ない種類の制作者コードで多くの情報提供装置を管理することが可能になる。
【０１１５】
また、請求項６に記載の発明によれば、情報端末において、取得した各情報提供装置の情報メニューから選択された個別識別コードであって、制作者コードの有効期限が経過していないものについてのみ、その制作者コードを伴うアドレス紹介要求が情報管理装置に送信され、この送信に基いて情報管理装置から受信したアドレス情報に基き、このアドレス情報で特定される情報提供装置の前記データベースから、選択された前記個別識別コードの有効なイベント情報を読み出して取得することができる。そのため、情報端末側において、情報管理装置から常に有効期限の経過していないアドレス情報を入手して有効なイベント情報を各情報提供装置から直接取得することが可能な、具体的な構成を提供することができる。
【０１１６】
また、請求項７に記載の発明によれば、情報端末において、取得した各情報提供装置の情報メニューから選択された個別識別コードであって、制作者コードの有効期限が経過していないものについてのみ、その個別識別コードを伴うイベント情報取得要求が情報管理装置に送信され、更に、このイベント情報取得要求の受信に基いて情報管理装置が管理メニューから該当するアドレス情報を読み出し、このアドレス情報で特定される情報提供装置の前記データベースから、選択された前記個別識別コードの有効なイベント情報を読み出して情報端末に転送することができる。
【０１１７】
従って、情報端末側において、常に有効期限の経過していないアドレス情報の有効なイベント情報を情報管理装置を経由して取得することが可能な、具体的な構成を提供することができる。
【図面の簡単な説明】
【図１】  この発明の第１実施形態の全体構成を示す概略図である。
【図２】  この発明の第１実施形態の一部のブロック図である。
【図３】  この発明の第１実施形態の動作説明図である。
【図４】  この発明の第１実施形態の動作説明図である。
【図５】  この発明の第１実施形態の動作説明図である。
【図６】  この発明の第１実施形態の動作説明図である。
【図７】  この発明の第１実施形態の動作説明図である。
【図８】  この発明の第１実施形態の動作説明用フローチャートである。
【図９】  この発明の第１実施形態の動作説明用フローチャートである。
【図１０】  この発明の第１実施形態の動作説明用フローチャートである。
【図１１】  この発明の第１実施形態の動作説明用フローチャートである。
【図１２】  この発明の第１実施形態の動作説明用フローチャートである。
【図１３】  この発明の第１実施形態の動作説明用フローチャートである。
【図１４】  この発明の第２実施形態の動作説明用フローチャートである。
【図１５】  この発明の第２実施形態の動作説明用フローチャートである。
【図１６】  この発明の第３実施形態の動作説明図である。
【図１７】  この発明の第３実施形態の動作説明図である。
【図１８】  この発明の第３実施形態の動作説明用フローチャートである。
【符号の説明】
１Ａ〜１Ｃ  情報提供装置（生成部）
２Ａ〜２Ｃ  データベース
３    カーナビ（情報端末）
４    情報管理装置（取得部、発行部、変換部、通信部）
５    データベース（格納部）
１３  ＣＰＵ（送受信部）
１７  電話制御部（送受信部）
１８  携帯電話（送受信部）
【図１】
0003724549.tif 000002
【図２】
0003724549.tif 000003
【図３】
0003724549.tif 000004
【図４】
0003724549.tif 000005
【図５】
0003724549.tif 000006
【図６】
0003724549.tif 000007
【図７】
0003724549.tif 000008
【図８】
0003724549.tif 000009
【図９】
0003724549.tif 000010
【図１０】
0003724549.tif 000011
【図１１】
0003724549.tif 000012
【図１２】
0003724549.tif 000013
【図１３】
0003724549.tif 000014
【図１４】
0003724549.tif 000015
【図１５】
0003724549.tif 000016
【図１６】
0003724549.tif 000017
【図１７】
0003724549.tif 000018
【図１８】
0003724549.tif 000019